(57)【要約】【課題】本発明の目的は、円筒状水棒カバーをゴムロールに装着する際、簡便に装着しやすくする方法を提供するものである。【解決手段】親水性繊維で織成された円筒状水棒カバーをゴムロールに装着する円筒状水棒カバー装着方法において、ゴムロールの少なくともロール部表面を水溶性フィルムで被覆し、次いで該水棒カバーを該フィルム上を滑らせて装着した後、該水棒カバーを装着したゴムロールを水と接触させて該フィルムを除去することを特徴とする円筒状水棒カバー装着方法。【選択図】  図１
2006272940.tif 000002
【特許請求の範囲】
【請求項１】
親水性繊維で織成された円筒状水棒カバーをゴムロールに装着する円筒状水棒カバー装着方法において、ゴムロールの少なくともロール部表面を水溶性フィルムで被覆し、次いで該水棒カバーを該フィルム上を滑らせて装着した後、該水棒カバーを装着したゴムロールを水と接触させて該フィルムを除去することを特徴とする円筒状水棒カバー装着方法。
【発明の詳細な説明】
【技術分野】
【０００１】
本発明は円筒状水棒カバー装着方法に関し、更に詳しくはゴムロールへの円筒状水棒カバーの装着を簡便に装着する円筒状水棒カバー装着方法に関するものである。
【背景技術】
【０００２】
出版、商業印刷において高速作業性、生産性の点からオフセット印刷が広く利用されている。オフセット印刷はアルミ板上に描画された画像部と非画像部の親水性の違いを利用して印刷する方法であり、従ってオフセット印刷において版面に供給される水（以下、給湿液）の種類、量は最終的な印刷品質に大きな影響を及ぼす。
【０００３】
オフセット印刷において良好な作業性、良好な印刷品質を得るために給湿液用希釈液に関しては種々の検討が行われている。
【０００４】
印刷機においても給湿液を版面へ供給する機構は印刷機製造会社の設計思想のもとに種々の検討がなされている。オフセット印刷において、間欠的に版面への給水が行われる呼び出し給水方式は、給湿液が多い部分と少ない部分とで品質的なばらつきがあり、また印刷機の高速化には不向きである。そのため、現在においては版面に連続的に給湿液を付与する版面給水方式連続給水型と呼ばれる方式が主に用いられている。
【０００５】
この版面給水方式連続給水型については親水性繊維表面を持つロールと他のロールを組み合わせて版面に給湿を行うものがある。水着けロールあるいはモルトンロールと呼ばれるこの種のロールは印刷中常に大量の水分を保持しており、繊維が他のロールとの摩擦により抜けてしまい、印刷品質に重大な影響を及ぼすことがあった。モルトンロールについては印刷適性改良のために種々の検討がなされている（例えば、特許文献１〜４参照）。
【０００６】
このモルトンロールは鉄芯にゴムあるいは樹脂を巻き付けたロールに水棒カバーと呼ばれる布で織成された筒状の織物を装着して形成されている（例えば、特許文献５参照）。
【０００７】
このモルトンロールにおいて、筒状水棒カバーとゴムロールとが密着していないとロールが回転せず、結果として印刷品質の低下が起こってしまうために筒状水棒カバーとゴムロールの直径はほぼ同径になるように設計してある。また、これらのゴムロールは回転中に水棒カバーと密着して回転するようにゴムロールと水棒カバーとの摩擦が大きくなるように設計されている。
【０００８】
このモルトンロールの表面を形成する筒状の水棒カバーは余分な水分を掻き落とすために他の金属ロールあるいはゴムロールと接触しているために、使用しすぎると水棒カバーが破れてしまう。
【０００９】
そのため、この水棒カバーを交換する必要があるが、筒状水棒カバーとゴムロールの直径がほぼ同じであるため、またゴムロールと水棒カバーとの摩擦が大きくなるために、筒状水棒カバーはゴムロールに装着しにくく、装着した際にさらに前後左右にずらして均一に調整するのが非常に困難であり、生産性を低下させる一因であった。
【特許文献１】特公昭４７−２９６５０号公報
【特許文献２】特公昭４７−２９６５１号公報
【特許文献３】特公昭５０−３３４４８号公報
【特許文献４】米国特許第４６７５２２０号明細書
【特許文献５】特許第２５１９６０５号公報
【発明の開示】
【発明が解決しようとする課題】
【００１０】
本発明の目的は、円筒状水棒カバーをゴムロールに装着する際、簡便に装着しやすくする方法を提供するものである。
【課題を解決するための手段】
【００１１】
本発明者は、上記に鑑み鋭意検討した結果、本発明における円筒状水棒ロールをゴムロールに簡便に装着する方法を発明した。
【００１２】
即ち、本発明は、親水性繊維で織成された円筒状水棒カバーをゴムロールに装着する円筒状水棒カバー装着方法において、ゴムロールの少なくともロール部表面を水溶性フィルムで被覆し、次いで該水棒カバーを該フィルム上を滑らせて装着した後、該水棒カバーを装着したゴムロールを水と接触させて該フィルムを除去することを特徴とする円筒状水棒カバー装着方法である。
【発明の効果】
【００１３】
本発明における装着方法を用いた場合、簡便に円筒状水棒カバーをゴムロールに装着することができる。
【発明を実施するための最良の形態】
【００１４】
以下、本発明の円筒状水棒カバーの装着方法ついて詳細に説明する。本発明は円筒状水棒カバーをゴムロールに装着する際、簡便に装着でき、且つ調整を容易にすることにあるが、このような本発明の実施様態の１例を図１を用いて説明する。
【００１５】
本発明に係る水溶性フィルム２は、ゴムロールの少なくともロール部表面を被覆してロール部表面の滑性を向上させ、もって円筒状水棒カバーの装着を容易ならしめるのもであり、円筒状水棒カバー４を滑らせる面が滑性を有することが好ましい。一方、円筒状水棒カバー４を水溶性フィルム２上を滑らせて装着する際に、水溶性フィルム２がロール上を滑ってずれてしまうと、水溶性フィルム２からのロール露出面では円筒状水棒カバー４が滑りにくくなってしまうので、水溶性フィルム２のロール接触面側は粗面化処理等の耐滑処理を施してロール部表面を滑りにくくするか、水溶性フィルム２を水溶性の接着剤等によりロール部表面に貼り付けておくことが好ましい。
【００１６】
尚、本発明における「滑性を有する」とは、円筒状水棒カバー４を装着する際、ゴムロール表面を直接滑らせるより水溶性フィルム２を介する方が円筒状水棒カバー４の滑りがよく、円筒状水棒カバー４を装着している間に水溶性フィルム２がゴムロール１からずれることのない程度をいう。したがって、円筒状水棒カバー４を装着している間に水溶性フィルム２がゴムロール１からずれるようであれば、滑性を有することにはならないが、その場合は、水溶性フィルム２のロール接触面と反対側に滑剤を塗布するなどして滑性を向上させることで、本発明に用いることができる。滑剤としては、ポリオレフィン系、ワックス系、シリコーン系、フッ素系等の従来公知のものが挙げられるが、円筒状水棒カバー４装着後に水溶性フィルム２を水によって除去することを考慮すれば、滑剤は水溶性フィルム２の除去に伴って水に分散または溶解するものが好ましい。
【００１７】
本発明に係る水溶性フィルム２はシート状のものが好ましい。水溶性フィルム２は円筒状水棒カバー４を滑らせて装着し得る程度に少なくともロール部表面を被覆できればよく、ロール長さ（ゴムロール１のゴムロール鉄芯３部分を除いた長さ）に対して水溶性フィルム２の長さは同等以上であればよい。しかしながら、ロール長さに対し水溶性フィルム２の長さを不必要に長くしても水棒カバー４の装着のし易さは向上しないし、却って円筒状水棒カバー４装着後に水溶性フィルム２を除去することを考慮すると、長すぎないことが好ましい。
【００１８】
また、ロール円周長さに対する水溶性フィルム２の長さ（フィルム円周長さ）は、ロール長さ方向と略直角方向に被覆するのであれば同等程度でよく、円筒状水棒カバー４の装着がスムーズに行える限りロール部表面の一部が露出していても、また水溶性フィルム２の一部が重なってもよい。特に、水溶性フィルム２をロール部表面に螺旋状に巻くのであれば、ロール部表面の一部が露出していても差し支えない。
【００１９】
本発明に係る水溶性フィルム２は、公知の方法で製造されたもので、材質は部分鹸化または完全鹸化ポリビニルアルコール、ポリエチレンオキシド、メチルセルロース、ヒドロキシエチルセルロース、ポリアルギン酸ソーダ等公知のものが使用できる。また、これらを必要に応じて公知の変性方法によって変性することも可能である。さらに水溶性フィルム２には、実質的にフィルム形成能を損なわない限りにおいて、必要に応じて単糖類、多糖類、有機物、無機物を混和することも、上述した滑剤、各種界面活性剤、フィルム形成助剤、水への易溶解剤や分散剤等を添加することも可能である。また、本発明に係る水溶性フィルム２は、同材質または材質の異なる２層以上で構成されていてもよい。
【００２０】
本発明に係る水溶性フィルム２は、円筒状水棒カバー４の装着中に破れて円筒状水棒カバー４の装着を実質的に妨げることのないような強度を有する厚さが好ましいが、一方で水溶性フィルム２の水による除去が時間がかかるようでは好ましくない。強度及び水への溶解または分散性はフィルムの材質によって異なるが、数μｍ〜数ｍｍ程度であり、より好ましくは数十μｍ〜数百μｍである。
【００２１】
水溶性フィルム２上に円筒状水棒カバー４を装着した後、ゴムロール両端の鉄心３部分で留め具を用いて円筒状水棒カバー４を固定し、その後に水により水溶性フィルム２をゴムロール上から除去してモルトンロールが出来上がる。本発明に係る水溶性フィルム２の除去に用いる水は、水を主成分とし、水混和性有機溶剤、界面活性剤、水溶性フィルム溶解助剤や分散助剤等が添加されていてもよい。また、本発明に係る水溶性フィルム２の除去に用いる水の温度は、一般に高めの方が水溶性フィルム２の溶解または分散が容易となるので好ましい。さらに、水溶性フィルム２の除去に際して円筒状水棒カバー４が装着されたゴムロールを水流中にさらしたりすることも好ましい。
【図面の簡単な説明】
【００２２】
【図１】ゴムロールを被覆した水溶性フィルム上を円筒状水棒カバーを滑らせて装着する断面概念図である。
【符号の説明】
【００２３】
１  ゴムロール
２  水溶性フィルム
３  ゴムロール鉄芯
４  円筒状水棒カバー
【図１】
2006272940.tif 000003